(57)【特許請求の範囲】
【請求項１】
第１の三脚座ユニットと、
前記第１の三脚座ユニットが着脱可能に装着される第２の三脚座ユニットと、を備え、
前記第１の三脚座ユニットと前記第２の三脚座ユニットのうちの一方が、
第１の固定部材と、
前記第１の固定部材と螺合する第２の固定部材と、を有し、
前記第１の三脚座ユニットと前記第２の三脚座ユニットのうちの他方が、
前記第１の固定部材が前記第２の固定部材へ締めこまれることにより、前記第１の三脚座ユニットと前記第２の三脚座ユニットのうちの前記一方と該第２の固定部材とによって挟持された状態で固定保持される取付部を有し、
前記取付部が前記固定保持されることにより、前記第１の三脚座ユニットが前記第２の三脚座ユニットに固定保持され、
前記第２の固定部材は、係合突起を有し、
前記取付部は、前記係合突起が進退可能であって係合溝が形成された溝部を有し、
前記溝部は、前記第１の三脚座ユニットが前記第２の三脚座ユニットに装着される際に、該溝部内において前記係合突起をガイドし、
前記係合突起は、前記溝部の前記係合溝までガイドされると該係合溝と係合して、前記第１の三脚座ユニットが前記第２の三脚座ユニットから取り外されることを防止する、
三脚座着脱機構。
【請求項２】
前記取付部は雄アリ溝を有し、
前記第１の三脚座ユニットと前記第２の三脚座ユニットのうちの前記一方と前記第２の固定部材とが、前記雄アリ溝が嵌め込まれる雌アリ溝を形成する、
請求項１に記載の三脚座着脱機構。
【請求項３】
前記第２の固定部材を前記取付部の方向へ付勢する付勢部を更に備える、
請求項１又は請求項２に記載の三脚座着脱機構。
【発明の詳細な説明】
【技術分野】
【０００１】
本発明は、撮影装置やレンズ鏡筒に装着される三脚座着脱機構に関する。
【背景技術】
【０００２】
デジタルカメラなどの撮影装置には、撮影レンズを取替え可能なものが知られている。撮影レンズは、レンズ鏡筒と、レンズ鏡筒内に配置されたレンズとを備えている。レンズ鏡筒の大きさや重量はレンズの画角や焦点距離等に応じて異なる。一般的に、焦点距離の長いレンズを備えるレンズ鏡筒には三脚座が取り付け可能であり、レンズ鏡筒は三脚座を介して三脚に取り付けられる。
【０００３】
特許文献１には、第１の三脚座ユニットと、第１の三脚座ユニットに着脱可能に取り付けられる第２の三脚座ユニットを備えるレンズ鏡筒が開示されている。特許文献１に記載のレンズ鏡筒において、第１の三脚座ユニットと第２の三脚座ユニットは、着脱自在に嵌合する三脚座嵌合部を有する。第２の三脚座ユニットは、スリット部と、スリット部の幅を変更して三脚座嵌合部の嵌合している部分の隙間量を変更する固定ネジを有している。固定ネジによってスリット部の幅を変更することにより、第１の三脚座ユニットと第２の三脚座ユニットとを固定、又は固定解除する。
【先行技術文献】
【特許文献】
【０００４】
【特許文献１】特開２００３−３３７２７５号公報
【発明の概要】
【発明が解決しようとする課題】
【０００５】
特許文献１のレンズ鏡筒では、スリット部の幅を狭めるために、固定ネジを締め付けることによって第２の三脚座ユニットを弾性変形させている。そのため、第１の三脚座ユニットと第２の三脚座ユニットとを固定するためには、固定が解除される方向に働く弾性変形によって生じる復元力に抗しながら、該復元力を上回る力で固定ネジを締めこんで三脚座嵌合部の隙間を狭める必要があり、固定に手間がかかるという問題があった。
【０００６】
本発明は上記の事情に鑑みてなされたものであり、その目的とするところは、第１の三脚座ユニットを第２の三脚座ユニットに素早く着脱可能で使い勝手の良い三脚座着脱機構を提供することである。
【課題を解決するための手段】
【０００７】
上記の課題を解決する本発明の実施形態の三脚座着脱機構は、第１の三脚座ユニットと、第１の三脚座ユニットが着脱可能に装着される第２の三脚座ユニットと、を備える。この構成において、第１の三脚座ユニットと第２の三脚座ユニットのうちの一方が、第１の固定部材と、第１の固定部材と螺合する第２の固定部材と、を有し、第１の三脚座ユニットと第２の三脚座ユニットのうちの他方が、第１の固定部材が第２の固定部材へ締めこまれることにより第２の固定部材に圧接される取付部を有し、取付部が第２の固定部材に圧接されることにより、第１の三脚座ユニットが第２の三脚座ユニットに固定保持される。例えば、第１の固定部材は固定ネジであり、第２の固定部材は固定キーである。
【０００８】
このような構成によれば、第１の固定部材（固定ネジ）の締緩という簡易な操作により、第１の三脚座ユニットの第２の三脚座ユニットへの固定及び固定の解除を行うことができる。そのため、第１の三脚座ユニットを第２の三脚座ユニットに素早く着脱することができる。
【０００９】
また、取付部は、第１の固定部材が第２の固定部材へ締めこまれることにより、第１の三脚座ユニットと第２の三脚座ユニットのうちの一方と第２の固定部材とによって挟持された状態で固定保持されてもよい。
【００１０】
また、取付部は雄アリ溝を有してもよい。この場合、第１の三脚座ユニットと第２の三脚座ユニットのうちの一方と第２の固定部材とが、雄アリ溝が嵌め込まれる雌アリ溝を形成する。
【００１１】
また、第２の固定部材は、係合突起を有し、取付部は、係合突起が進退可能であって係合溝が形成された溝部を有してもよい。この場合、溝部は、第１の三脚座ユニットが第２の三脚座ユニットに装着される際に、溝部内において係合突起をガイドする。係合突起は、溝部の係合溝までガイドされると係合溝と係合して、第１の三脚座ユニットが第２の三脚座ユニットから取り外されることを防止する。
【００１２】
また、三脚座着脱機構は、第２の固定部材を取付部の方向へ付勢する付勢部を更に備えてもよい。
【００１３】
また、上記の課題を解決する本発明の実施形態の三脚座着脱機構は、レンズ鏡筒に固定もしくは着脱可能な第１の三脚座ユニットと、第１の三脚座ユニットが着脱可能に装着される第２の三脚座ユニットと、を備える。この構成において、第１の三脚座ユニットと第２の三脚座ユニットのうちの一方が、第１の固定部材と、第２の固定部材と、を有し、第１の三脚座ユニットと第２の三脚座ユニットのうちの他方が取付部を有し、第１の固定部材が操作されることで第２の固定部材が取付部に圧接されることにより、第１の三脚座ユニットが第２の三脚座ユニットに固定保持される。
【００１４】
また、上記の課題を解決する本発明の実施形態の三脚座着脱機構は、撮影装置に固定もしくは着脱可能な第１の三脚座ユニットと、
第１の三脚座ユニットが着脱可能に装着される第２の三脚座ユニットと、を備える。この構成において、第１の三脚座ユニットと第２の三脚座ユニットのうちの一方が、第１の固定部材と、第２の固定部材と、を有し、第１の三脚座ユニットと第２の三脚座ユニットのうちの他方が取付部を有し、第１の固定部材が操作されることで第２の固定部材が取付部に圧接されることにより、第１の三脚座ユニットが第２の三脚座ユニットに固定保持される。
【発明の効果】
【００１５】
本発明の実施形態の構成によれば、第１の固定部材の締緩という簡易な操作により第１の三脚座ユニットを第２の三脚座ユニットに素早く着脱可能となり、使い勝手の良い三脚座着脱機構が提供される
【図面の簡単な説明】
【００１６】
【図１】本発明の実施形態の三脚座着脱機構を有するレンズ鏡筒の側面図である。
【図２】本発明の実施形態の三脚座着脱機構を有するレンズ鏡筒の背面図である。
【図３】本発明の実施形態の第１の三脚座ユニットの斜視図である。
【図４】本発明の実施形態の第２の三脚座ユニットの分解斜視図である。
【図５】本発明の実施形態の第２の三脚座ユニットの断面図である。
【図６】本発明の実施形態の第１の三脚座ユニット及び第２の三脚座ユニットの背面図である。
【図７】本発明の実施形態の第１の三脚座ユニット及び第２の三脚座ユニットの背面図である。
【図８】本発明の実施形態の第１の三脚座ユニット及び第２の三脚座ユニットの背面図及び第１の三脚座ユニットの下面図である。
【図９】本発明の実施形態の第１の三脚座ユニット及び第２の三脚座ユニットの断面図である。
【図１０】本発明の実施形態の第１の変形例における第１の三脚座ユニット及び第２の三脚座ユニットの背面図及び第１の三脚座ユニットの下面図である。
【図１１】本発明の実施形態の第２の変形例における第１の三脚座ユニット及び第２の三脚座ユニットの背面図である。
【発明を実施するための形態】
【００１７】
以下、本発明の実施形態について図面を参照しながら説明する。
【００１８】
図１（ａ）、図１（ｂ）は、本発明の実施形態に係る三脚座着脱機構を有するレンズ鏡筒１の側面図である。三脚座着脱機構は、第１の三脚座ユニット２と第２の三脚座ユニット１０を備えている。第１の三脚座ユニット２及び第２の三脚座ユニット１０の材質にはアルミニウムが用いられるが、本実施形態はこれに限定されない。例えば、第１の三脚座ユニット２及び第２の三脚座ユニット１０は、アルミ合金やマグネシウム合金等の軽金属材料が用いられてもよい。第１の三脚座ユニット２は、第２の三脚座ユニット１０に着脱可能に装着される。図１（ａ）は、第１の三脚座ユニット２が第２の三脚座ユニット１０に固定保持されている状態を示す。図１（ｂ）は、第１の三脚座ユニット２が第２の三脚座ユニット１０から取り外された状態を示す。また、図２は、本実施形態に係る三脚座着脱機構を有するレンズ鏡筒１の背面図である。
【００１９】
レンズ鏡筒１は円筒形状を有しており、内部に複数のレンズを有している。レンズ鏡筒１は、光軸方向における一端に接続部１ａを有している。接続部１ａは、撮影装置本体（不図示）と着脱可能に接続される。被写体からの物体光は、レンズ鏡筒１の他端から入射し、複数のレンズを通って、レンズ鏡筒１の一端から射出される。レンズ鏡筒１から射出された物体光は撮影装置で撮像され、画像信号に変換される。
【００２０】
以下の説明において、図１におけるレンズ鏡筒１の光軸方向を前後方向と定義し、前後方向においてレンズ鏡筒１の接続部１ａの側を後方と定義する。また、図１におけるレンズ鏡筒１の第１の三脚座ユニット２が装着されている側を下方と定義し、その反対側を上方と定義する。また、前後方向及び上下方向と直交する方向を左右方向と定義し、左右方向における固定ネジ１２（後述）の把持部１２ｄが設けられている側を右方と定義する。
【００２１】
図３（ａ）、図３（ｂ）は、本発明の実施形態に係る第１の三脚座ユニット２の斜視図である。第１の三脚座ユニット２は、レンズ鏡筒１にネジ止めするための複数の穴部２ａを有している。第１の三脚座ユニット２は、装着面２ｂがレンズ鏡筒部１の外周部の一部と接触した状態で、レンズ鏡筒部１にネジ止めにより固定される。第１の三脚座ユニット２の装着面２ｂとは反対側（下面側）には、第２の三脚座ユニット１０が取り付けられる取付部２ｃが形成されている。取付部２ｃは前後方向に伸びる雄アリ溝形状（アリほぞ）を有している。取付部２ｃの下面には溝２ｇが形成されている。溝２ｇ内は、第２の三脚座ユニット１０の係合突起１５（後述）が前後方向に進退可能である。溝２ｇ内の右側面には、係合突起１５をガイドするためのガイド斜面２ｄ及びガイド面２ｅが形成されている。また、溝２ｇには、ガイド面２ｅを右側に凹ませることによって係合溝２ｆが形成されている。
【００２２】
図４は、本発明の実施形態に係る第２の三脚座ユニット１０の分解斜視図である。第２の三脚座ユニット１０は、左右方向から見たときにＬ字形状を有する台座１１を有している。台座１１は、三脚（不図示）にネジ止めにより固定保持される三脚接続部１１ａと、第１の三脚座ユニット２を固定保持するユニット接続部１１ｂとを有している。三脚接続部１１ａには、２つのネジ穴１１ｃ（１つのネジ穴１１ｃは不図示）が形成されている。これらのネジ穴１１ｃは、第２の三脚座ユニット１０をネジ（不図示）によって三脚に接続するために使用される。ユニット接続部１１ｂは、肉抜き部１１ｄを有している。肉抜き部１１ｄの左右の側面には、同軸上に貫通穴１１ｅ、１１ｆが形成されている。
【００２３】
ユニット接続部１１ｂの肉抜き部１１ｄには、固定キー１３及び圧縮バネ１４が収容される。固定キー１３には左右方向に貫通する貫通孔が設けられ、当該貫通孔には雌ネジ部１３ｂが形成されている。
【００２４】
固定キー１３は、肉抜き部１１ｄに収容された状態で固定ネジ１２と螺合される。固定ネジ１２は、円筒部１２ａ、１２ｂと、その間に設けられた雄ネジ部１２ｃを有している。雄ネジ部１２ｃのネジ軸方向は左右方向と平行である。また、固定ネジ１２の円筒部１２ａと雄ネジ部１２ｃとの間には、円板形状の規制壁１２ｅが形成されている。固定ネジ１２は、把持部１２ｄを有しており、ユーザは把持部１２ｄを操作して固定ネジ１２を回転させる。固定ネジ１２は、右側から貫通穴１１ｅに挿入され、雄ネジ部１２ｃに固定キー１３の雌ネジ部１３ｂが螺合される。円筒部１２ａ、１２ｂはそれぞれ、貫通穴１１ｅ、１１ｆに軸支される。
【００２５】
固定キー１３が固定ネジ１２に螺合された後、固定キー１３に留めピン１６が差し込まれる。固定キー１３に差し込まれた留めピン１６の先端部は、雌ネジ部１３ｂが形成されている固定キー１３の貫通孔内に達する。留めピン１６は、固定ネジ１２が緩められると（固定ネジ１２が固定キー１３との螺合を解除するように回転されると）、固定キー１３の貫通孔内において規制壁１２ｅに右側から当接し、固定ネジ１２の固定キー１３に対する移動量を規制する。また、留めピン１６が規制壁１２ｅに当接することにより、固定ネジ１２と固定キー１３との螺合が解除されて固定ネジ１２が台座１１から外れてしまうことが防止される。
【００２６】
カバー１７は、台座１１の肉抜き部１１ｄを後方から覆うように背面から４つのビス１８で台座１１に固定される。
【００２７】
ユニット接続部１１ｂの上方及び固定キー１３の上方にはそれぞれ、前後方向に沿って段差１１ｇ及び段差１３ａが形成されている。固定キー１３が肉抜き部１１ｄに収容されることにより、段差１１ｇと段差１３ａによって雌アリ溝（アリ穴）２０が形成される（図６参照）。固定キー１３の上方の、段差１１ｇと段差１３ａによって挟まれた領域（雌アリ溝２０）には係合突起１５が設けられている。係合突起１５は、前方の側面１５ａが平面状に形成されたカマボコ形状を有している。
【００２８】
第２の三脚座ユニット１０に形成された雌アリ溝２０と第１の三脚座ユニット２の雄アリ溝形状を有する取付部２ｃとが係合（アリ継ぎ）されることにより、第１の三脚座ユニット２が第２の三脚座ユニット１０に装着される。
【００２９】
図５（ａ）〜図５（ｅ）は、第２の三脚座ユニット１０の図２中の線Ｂ−Ｂにおける断面図である。図５（ａ）〜図５（ｅ）では、説明の便宜上、第１の三脚座ユニット２及び係合突起１５が破線で示されている。
【００３０】
図５（ａ）には、第１の三脚座ユニット２を第２の三脚座ユニット１０に取り付け始める状態が示されている。この状態では、固定ネジ１２は緩められており、規制壁１２ｅが留めピン１６に当接している。第１の三脚座ユニット２を第２の三脚座ユニット１０に取り付けるためには、雌アリ部２０を第１の三脚座ユニット２の前方から雄アリ溝形状を有する取付部２ｃに係合させる。このとき、固定キー１３は圧縮バネ１４によって右側に向かって付勢されているため、固定キー１３は肉抜き部１１ｄの右側の壁１１ｈに当接している。第１の三脚座ユニット２を第２の三脚座ユニット１０に取り付ける場合、係合突起１５は溝２ｇ内に配置され、ガイド斜面２ｄに当接する。
【００３１】
図５（ａ）に示される状態から第１の三脚座ユニット２を前方に移動させると、第２の三脚座ユニット１０は図５（ｂ）に示される状態となる。第１の三脚座ユニット２の移動に伴って係合突起１５がガイド斜面２ｄからガイド面２ｅへ当接しながら移動することにより、固定キー１３は圧縮バネ１４の付勢力に抗しながら壁１１ｈから離れて、左側へ移動する。
【００３２】
このときの第１の三脚座ユニット２及び第２の三脚座ユニット１０の背面図を図６に示す。図６では、説明の便宜上、カバー１７の図示を省略している。図６に示されるように、第２の三脚座ユニット１０には、段差１１ｇと段差１３ａとにより雌アリ溝（アリ穴）２０が形成されている。係合突起１５がガイド斜面２ｄからガイド面２ｅへ当接しながら移動するのに伴い、固定キー１３は左側に向かって移動し、雌アリ溝２０の左右方向の幅が広がる。そのため、第２の三脚座ユニット１０に取付部２ｃを容易に取り付けることができる。
【００３３】
図５（ｂ）に示される状態から第１の三脚座ユニット２を更に前方に移動させると、第２の三脚座ユニット１０は図５（ｃ）に示される状態となる。図５（ｃ）に示される状態では、圧縮バネ１４が固定キー１３を右側に付勢することにより、係合突起１５が係合溝２ｆに入り込んでいる。このとき、固定キー１３は、図５（ｂ）に示される状態よりも壁１１ｈに近づいている。
【００３４】
このときの第１の三脚座ユニット２及び第２の三脚座ユニット１０の背面図を図７に示す。図７では、説明の便宜上、カバー１７の図示を省略している。図７に示されるように、係合突起１５が係合溝２ｆに入り込んでいる状態では、固定キー１３は圧縮バネ１４により付勢されているため、取付部２ｃは段差１１ｇ及び段差１３ａによって挟持される。このとき、取付部２は圧縮バネ１４の付勢力によって挟持されているのみであり、第１の三脚座ユニット２は第２の三脚座ユニット１０に対して固定保持されていない。
【００３５】
しかし、図５（ｃ）に示される状態では、係合突起１５が係合溝２ｆ内に入り込んでおり、係合突起１５の前後方向の移動は係合溝２ｆの前後の側面によって規制されている。そのため、第１の三脚座ユニット２が前後方向に動かされたとしても係合突起１５が係合溝２ｆの前後の側面に当接することにより第１の三脚座ユニット２の移動が規制される。これにより、係合突起１５と係合溝２ｆは第１の三脚座ユニット２の脱落防止機構として動作し、第１の三脚座ユニット２が意図せずに第２の三脚座ユニット１０から取り外されて脱落してしまうことを防止できる。
【００３６】
また、図５（ｃ）に示される状態では、第１の三脚座ユニット２は第２の三脚座ユニット１０に対して固定保持されていないため、ユーザの意図しない外力によって、固定キー１３が左方向に移動する可能性がある。例えば、台座１０に対して、台座１０を左右方向に振動させるような外力が加わった場合や、第２の三脚座ユニット１０を上下方向に平行な軸の周りで回転させるような力が加わった場合に、第１の三脚座ユニット２の取付部２ｃによって固定キー１３が左方向に押され、係合突起１５と係合溝２ｆの係合が瞬間的に解除されてしまう可能性がある。係合突起１５と係合溝２ｆの係合が解除されたときに、第１の三脚座ユニット２を後方に移動させる力が働くと、第１の三脚座ユニット２が第２の三脚座ユニット１０から取り外されてしまう。そのため、本実施形態では、カバー１７によって、意図しない外力によって係合突起１５と係合溝２ｆの係合が瞬間的に解除されてしまうことを防止している。
【００３７】
図８（ａ）、図８（ｂ）はそれぞれ、第２の三脚座ユニット１０が図５（ｃ）に示される状態となっているときの、第１の三脚座ユニット２及び第２の三脚座ユニット１０の背面図及び第１の三脚座ユニット２の下面図を示している。図８（ａ）では、説明の便宜上、固定キー１３が破線で示されている。また、図８（ｂ）では、説明の便宜上、カバー１７が破線で示されている。
【００３８】
図８（ａ）に示されるように、カバー１７の側面１７ａは、前後方向において、段差１３ａと部分的に重なっている。また、図８（ｂ）に示されるように、取付部２ｃの後方端部は、前後方向において、カバー１７の側面１７ａと同じ位置に配置されている。そのため、図８（ａ）、図８（ｂ）（図５（ｃ））に示される状態で、台座１１に対して右方向に外力が加わると、取付部２ｃが相対的に左側に移動し、取付部２ｃ左端がカバー１７の側面１７ａに当接する。カバー１７は台座１１に対してビス１８で固定されているため、取付部２ｃが側面１７ａと当接している状態から更に左側に移動することが防止される。これにより、固定キー１３が取付部２ｃによって押されて左側に移動することが防止され、台座１１に加えられた外力により係合突起１５と係合溝２ｆの係合が解除されてしまうことを防止できる。
【００３９】
図５（ｃ）に示される状態から固定ネジ１２が締めこまれると、第２の三脚座ユニット１０は図５（ｄ）に示される状態となる。固定ネジ１２が締めこまれると、固定キー１３は段差１３ａが取付部２ａに当接しているために移動せず、固定ネジ１２が固定キー１３に引き込まれる。固定ネジ１２は、当接面１２ｆが台座１１の右側の壁１１ｉと当接したところで止まる。
【００４０】
このときの第１の三脚座ユニット２及び第２の三脚座ユニット１０の断面図を図９に示す。図９は、第１の三脚座ユニット２及び第２の三脚座ユニット１０の、図１（ａ）中の線Ａ−Ａにおける断面図である。図９に示されている状態から固定ネジ１２が更に締めこまれると、固定ネジ１２の左方向への移動は壁１１ｉによって規制されているため、固定キー１３が壁１１ｈの側（右側）に引き込まれる。これにより、固定キー１３の段差部１３ａは、固定ネジ１２の締めこみに応じて取付部２ｃに圧接される。これにより、取付部２ｃは、段差１１ｇ及び段差１３ａによって強固に挟持され、第１の三脚座ユニット２が第２の三脚座ユニット１０に固定保持される。第１の三脚座ユニット２が第２の三脚座ユニット１０に固定保持されている状態では、第１の三脚座ユニット２に対して前後方向に力が加えられたとしても、第１の三脚座ユニット２の移動は、取付部２ｃと、段差１１ｇ及び段差１３ａとの間の摩擦力によって規制される。
【００４１】
ここで、第１の三脚座ユニット２は、図５（ｃ）に示される状態から固定ネジ１２を約２回転締めこむだけで、図５（ｄ）に示される状態を経て、第２の三脚座ユニット１０に確実に固定保持された状態となる。そのため、大きな力を要さず、且つ簡易な操作で、第１の三脚座ユニット２を第２の三脚座ユニット１０に固定保持することができる。また、操作が簡易であるため、第１の三脚座ユニット２を第２の三脚座ユニット１０に素早く固定保持することができる。
【００４２】
次に、第１の三脚座ユニット２を第２の三脚座ユニット１０から取り外す操作について説明する。第１の三脚座ユニット２を取り外すためには、図５（ｄ）に示されている状態から、まず固定ネジ１２の規制壁１２ｅが留めピン１６に当接するまで固定ネジ１２が緩められる。これにより、第２の三脚座ユニット１０は、図５（ｄ）に示される状態から図５（ｃ）に示される状態となる。このとき、固定ネジ１２の当接面１２ｆは、壁１１ｉから離れた状態となる。
【００４３】
図５（ｃ）に示される状態で、固定ネジ１２が圧縮バネ１４の付勢力に抗して左側に向かって押されると、当接面１２ｆが台座１１の壁１１ｉに当接して止まる。このとき、第２の三脚座ユニット１０は、図５（ｅ）に示される状態となる。図５（ｅ）に示される状態では、係合突起１５と係合溝２ｆの係合は解除されているため、第１の三脚座ユニット２の後方への移動は規制されていない。そのため、固定ネジ１２を押したまま第１の三脚座ユニット２を後方に移動させることにより、第１の三脚座ユニット２を第２の三脚座ユニット１０から取り外すことができる。
【００４４】
このように、本実施形態の三脚座着脱機構では、取付部２ｃと雌アリ部２０を係合させ、第１の三脚座ユニット２を第２の三脚座ユニットに装着する際に、係合突起１５が係合溝２ｆに入り込むことによって第１の三脚座ユニット２の脱落が防止される。係合突起１５と係合溝２ｆを第１の三脚座ユニット２の脱落防止機構として動作させるためには、取付部２ｃと雌アリ部２０が係合した状態で第１の三脚座ユニット２を移動させるだけでよく、固定ネジ１２等を操作する必要はない。そのため、第１の三脚座ユニット２の脱落を防止させるためのユーザの操作負担が小さく、使い勝手が良い。
【００４５】
また、本実施形態の三脚座着脱機構では、固定ネジ１２が締緩されることにより、第１の三脚座ユニット２の第２の三脚座ユニット１０への固定保持及び固定の解除を行うことができる。また、固定ネジ１２を緩めて三脚ユニット１０を解除した状態で、固定ネジ１２をネジ軸方向に移動させることにより、脱落防止機構である係合突起１５と係合溝２ｆの係合を解除することができる。固定ネジ１２を操作することにより、固定解除と脱落防止の解除の両方を行うことができるため、第１の三脚座ユニット２の脱落を防止しつつ、第１の三脚座ユニット２の第２の三脚座ユニット１０への取り付け及び取り外しを素早く行うことができる。また、第１の三脚座ユニット２の固定保持と固定の解除は、固定ネジ１２の締緩のみで行われるため、ユーザにとっての操作負担が小さく、使い勝手が良い。
【００４６】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【００４７】
また、図８（ａ）に示される構成では、カバー１７の側面１７ａは、段差１３ａの一部１３ａａよりも右側に配置されるが、本実施形態はこれに限定されない。側面１７ａは、係合突起１５と係合溝２ｆの係合の解除を防止できる位置にあればよく、段差１３ａの一部１３ａａよりも左側に配置されていてもよい。
【００４８】
図１０（ａ）は、本実施形態の第１の変形例における第１の三脚座ユニット２及び第２の三脚座ユニット１０の背面図である。また、図１０（ｂ）は、第１の変形例における第１の三脚座ユニット２の下面図である。図１０（ａ）では、説明の便宜上、固定キー１３が破線で示されている。また、図１０（ｂ）では、説明の便宜上、カバー１７が破線で示されている。また、図１０（ｂ）には、係合突起１５と係合溝２ｆが係合しているとき（図５（ｃ）に示される状態となっているとき）の係合突起１５を実線で示している。また、図１０（ｂ）には、係合突起１５と係合溝２ｆの係合が解除されたとき（図５（ｅ）に示される状態となっているとき）の係合突起１５を破線で示している。
【００４９】
係合突起１５と係合溝２ｆが係合しているときに第１の三脚座ユニット２が後方に動かされると、係合突起１５の平面部１５ａが係合溝２ｆの前方の面２ｈと当接する。これにより、係合突起１５と係合溝２ｆの係合が解除されることが防止される。また、固定ネジ１２が左側に押されると、図１０（ｂ）に破線で示されるように、係合突起１５は第１の三脚座ユニット２に対して左側に距離Ｌ１だけ移動し、係合突起１５と係合溝２ｆの係合が解除される。この状態では、第１の三脚座ユニット２が後方に動かされると、係合突起１５の平面部１５ａが係合溝２ｆの前方の面２ｈと当接しないため、第１の三脚座ユニット２を第２の三脚座ユニット１０から取り外すことができる。
【００５０】
従って、台座１１に意図しない外力が加えられたときに、係合突起１５と係合溝２ｆの係合が解除されることを防止するためには、外力によって係合突起１５が図１０（ｂ）の破線で示される位置まで移動しないようにすればよい。図１０（ａ）に示される第１の変形例では、側面１７ａは、段差１３ａの一部１３ａａよりも所定距離Ｌ２だけ左側に配置されている。この距離Ｌ２は、係合突起１５が係合溝２ｆとの係合している状態から係合が解除された状態に変化するための移動量Ｌ１よりも小さく設定されている。そのため、台座１１に対して右方向に外力が加わり、固定キー１３の段差１３ａが取付部２ｃによって左方向に押されたとしても、係合突起１５の左方向への移動量はＬ２以下に抑えられる。そのため、外力によって係合突起１５と係合溝２ｆの係合が解除されることが防止される。また、第１の変形例では、カバー１７の側面１７ａと側面１７ｂの間の間隔が、図８（ａ）に示される構成よりも広い。そのため、第１の三脚座ユニット２を第２の三脚座ユニット１０に比較的取り付け易くなる。
【００５１】
また、本実施形態のカバー１７の形状は、図８（ａ）や図１０（ａ）に示される形状に限定されない。図１１は、本実施形態の第２の変形例における第１の三脚座ユニット２及び第２の三脚座ユニット１０の背面図である。第２の変形例では、図１１に示されるように、前後方向から見たときの、カバー１７の側面１７ａが、段差１３ａの右側の斜面１３ａｂに沿った形状に形成されている。このような構成によれば、台座１１に右方向に意図しない外力が加わった場合だけでなく、下方向や右下方向に外力が加わった場合においても、取付部２ｃが側面１７ａに当接する。これにより、段差１３ａが取付部２ｃに押されて左側に移動することを、より確実に防止することができる。
【００５２】
また、本実施形態の係合突起１５の形状は、カマボコ形状に限定されない。例えば、係合突起１５は、円柱形上や四角柱形状であってもよい。ただし、係合突起１５は、係合溝２ｆと係合しているときに、係合溝２ｆの前方の面２ｈと当接することによって、第１の三脚座ユニット２が第２の三脚座ユニット１０から脱落することを防止している。そのため、係合突起１５の面２ｈと当接する部分（前方部分）は、平面状に形成されていることが望ましい。
【００５３】
また、図３に示される第１の三脚座ユニット２は、装着面２ｂを有し、レンズ鏡筒１にネジ留めされる構成であるが、本実施形態はこれに限定されない。例えば、第１の三脚座ユニット２は、リング状の締結部材を有していてもよい。この場合、リング状の締結部材がレンズ鏡筒１に嵌合することにより、第１の三脚座ユニット２がレンズ鏡筒１に着脱可能に装着され、固定保持される。また、第１の三脚座ユニット２は、レンズ鏡筒１ではなく、撮影装置の筐体に着脱可能に装着され、固定可能であっても良い。
【００５４】
また、図５（ａ）〜（ｅ）では第１の三脚座ユニット２と第２の三脚座ユニット１０のみが示されているが、本実施形態では、第１の三脚座ユニット２がレンズ鏡筒１に固定保持され、且つ第２の三脚座ユニット１０が三脚に固定保持されている状態で、第１の三脚座ユニット２を第２の三脚座ユニット１０に固定保持することが可能である。
【００５５】
また、図１では、第１の三脚座ユニット２がレンズ鏡筒１に着脱可能に装着され、固定保持されているが、本実施形態はこれに限定されない。例えば、第１の三脚座ユニット２が三脚に着脱可能に装着されて固定保持されてもよい。この場合、第２の三脚座ユニット１０は、レンズ鏡筒１又は撮影装置の筐体に着脱可能に装着され固定保持される。
【００５６】
また、本実施形態では、固定ネジ１２が固定キー１３に締めこまれることによって、取付部２ｃが段差１１ｇ及び段差１３ａによって強固に挟持され、第１の三脚座ユニット２が第２の三脚座ユニット１０に固定保持されるが、本実施形態はこれに限定されない。例えば、本実施形態では、第２の三脚座ユニット１０が図５（ｃ）に示される状態において、固定ネジ１２が右方向に引っ張られることによって、第１の三脚座ユニット２が第２の三脚座ユニット１０に固定保持されてもよい。固定ネジ１２が右方向に引っ張られると、段差１１ｇ及び段差１３ａが取付部２ｃに圧接され、取付部２ｃを強固に挟持する。これにより、第１の三脚座ユニット２が第２の三脚座ユニット１０に固定保持される。この場合、固定ネジ１２は、右方向に引っ張られた状態が維持されるように、不図示の固定機構により引っ張られた状態で固定される。
【００５７】
また、固定ネジ１２が右方向に引っ張られることによって第１の三脚座ユニット２を第２の三脚座ユニット１０に固定保持する場合、固定ネジ１２を締緩する必要は無い。そのため、この場合、固定ネジ１２と固定キー１３は左右方向に一体的に動くように構成されていればよく、ネジによって螺合されている必要は無い。
【符号の説明】
【００５８】
１    レンズ鏡筒
１ａ    接続部
２    第１の三脚座ユニット
２ａ    穴部
２ｂ    装着面
２ｃ    取付部
２ｄ    ガイド斜面
２ｅ    ガイド面
２ｆ    係合溝
２ｇ    溝
２ｈ    面
１０    第２の三脚座ユニット
１１    台座
１１ａ    三脚接続部
１１ｂ    ユニット接続部
１１ｃ    ネジ穴
１１ｄ    肉抜き部
１１ｅ    貫通穴
１１ｆ    貫通穴
１１ｇ    段差
１１ｈ    壁
１１ｉ    壁
１２    固定ネジ
１２ａ    円筒部
１２ｂ    円筒部
１２ｃ    雄ネジ部
１２ｄ    把持部
１２ｅ    規制壁
１２ｆ    当接面
１３    固定キー
１３ａ    段差
１３ａａ    段差の一部
１３ａｂ    斜面
１４    圧縮バネ
１５    係合突起
１６    留めピン
１７    カバー
１７ａ、１７ｂ    側面
１８    ビス
２０    雌アリ溝
【図１】
0006489358.tif 000002
【図２】
0006489358.tif 000003
【図３】
0006489358.tif 000004
【図４】
0006489358.tif 000005
【図５】
0006489358.tif 000006
【図６】
0006489358.tif 000007
【図７】
0006489358.tif 000008
【図８】
0006489358.tif 000009
【図９】
0006489358.tif 000010
【図１０】
0006489358.tif 000011
【図１１】
0006489358.tif 000012